(57)【要約】【課題】  本発明はホ−スと金具との接続部位にあって、流体漏れを早期に検知する新たなホ−ス金具を提供するものである。【解決手段】  芯金具の内筒の外側にホ−スが差し込まれ、該ホ−スの外側より締め金具をもって締め付けて接続されるホ−ス金具であって、予め芯金具の内筒の付け根部に膨潤材料を充填し、次いで内筒の外側にホ−スを差し込んで接続し、前記の膨潤材料に向けて締め金具に覗き穴を穿孔した構造としたことを特徴とする寿命予知ホ−ス金具。１‥芯金具、２‥内筒、３‥締め金具、４‥ＥＰＤＭリング、５‥穴、１０‥ホ−ス、１０ａ‥内面ゴム、１１‥補強層。【選択図】図２
2006097730.tif 000002
【特許請求の範囲】
【請求項１】
芯金具の内筒の外側にホ−スが差し込まれ、該ホ−スの外側より締め金具をもって締め付けて接続されるホ−ス金具であって、予め芯金具の内筒の付け根部に膨潤材料を充填し、次いで内筒の外側にホ−スを差し込んで接続し、前記の膨潤材料に向けて締め金具に覗き穴を穿孔した構造としたことを特徴とする寿命予知ホ−ス金具。
【請求項２】
前記膨潤材料として、膨潤ゴムである請求項１記載の寿命予知ホ−ス金具。
【請求項３】
前記膨潤ゴムがＥＰＤＭである請求項２記載の寿命予知ホ−ス金具。
【請求項４】
前記膨潤材料として、親水性ポリマ−である請求項１記載の寿命予知ホ−ス金具。
【請求項５】
前記親水性ポリマ−がエチレンオキサイド主体の親水性ポリマ−である請求項４記載の寿命予知ホ−ス金具。
【請求項６】
締め金具に穿孔した穴が周方向に複数形成した請求項１記載の寿命予知ホ−ス金具。
【発明の詳細な説明】
【技術分野】
【０００１】
本発明はホ−スを接続した金具からの流体漏れを検知することができるホ−ス金具に関するものである。
【背景技術】
【０００２】
ホ−ス金具は、芯金具と締め金具の２種類からなっている。芯金具の内筒部に差し込まれたホ−スは締め金具にて締め付けて接続するものである。図１はホ−ス金具の一例を示すもので、芯金具１における内筒２の外側にホ−ス１０が差し込まれ、これを外側より締め金具３にて締め付けてなるものである。
【０００３】
この状態でホ−ス及び金具が実機で使用されると、流体の熱等でホ−スの内面ゴムが硬化し、芯金具１の内筒２面とホ−ス１０の内面ゴム１０ａとのシ−ル性が低下して漏れが発生する。漏れの発生経路は内筒２とホ−ス１０の内面ゴムとの間に流体が侵入し、次いで、ホ−ス１０の端部よりホ−ス１０の補強層１１内に侵入し、これによってホ−ス１０の外面ゴム１０ｂを膨らませ、破断に達してしまう。
【０００４】
即ち、初期の漏れはホ−スの外皮ゴムの元に留まり外皮が膨れ、その膨れた部分がパンクするが、この外皮の膨れ状態で検知しないと漏れが分からず、そのまま破断に達してしまうこととなる。かかる外皮の膨れ状態は容易には検知しにくいものである。
【発明の開示】
【発明が解決しようとする課題】
【０００５】
本発明はホ−スと金具との接続部位にあって、流体漏れを早期に検知する新たなホ−ス金具を提供するものである。
【課題を解決するための手段】
【０００６】
本発明の要旨は、芯金具と締め金具とからなり、或いは芯部と締め部とが一体となった金具であり、芯金具の内筒の外側にホ−スが差し込まれ、該ホ−スの外側より締め金具をもって締め付けて接続されるホ−ス金具であって、予め芯金具の内筒の付け根部に膨潤材料を充填し、次いで内筒の外側にホ−スを差し込んで接続し、前記の膨潤材料に向けて締め金具に覗き穴を穿孔した構造としたことを特徴とする寿命予知ホ−ス金具である。
【発明の効果】
【０００７】
本発明は以上の通りであり、流体の漏れに対する対策が二段階になされるものである。即ち、ホ−スの内面ゴムと内筒との間に流体が侵入した場合、第一段階で膨潤材料が最初に接触し、これが膨潤して初期のシ−ル性を保持することになる、その後、更に漏れが進むと、第二段階として膨潤材料が更に膨潤し、穿孔した穴から膨出する。これを目視して流体の漏れを検知できるものである。
【発明を実施するための最良の形態】
【０００８】
さて、液圧ホ−スは一般に高圧条件下で使用され、流体温度も８０℃以上の高温になりやすい。この条件下でホ−スの内面ゴムと芯金具の内筒との間のシ−ル性を保つのに、内面ゴムの性能向上や芯金具の形状の改良等様々な工夫がなされてきた。しかし、いかなる工夫によっても経時変化によるシ−ル性能の低下は避けられず、特に過酷な使用条件下で長期間使用すると、この部分から流体漏れする場合は少なくない。
【０００９】
このような場合、シ−ル性能の低下を事前に検知できれば流体が漏れる前にホ−ス交換をすることができ、周辺機器を汚染することもなく、又、メンテナンス上も安全上も好ましい結果を得られる。
【００１０】
本発明の特徴は、ホ−ス金具の先端に膨潤ゴムを挿入し、かつ、締め金具に穴を開け流体の漏れを検知するホ−ス金具であって、具体的には、ホ−ス金具の内筒の先端部にＥＰＤＭ（油膨潤ゴム）若しくは水膨潤ゴムのパッキンを挿入し、次に締め金具の先端に穴を開けるものであって、ホ−スが寿命となり流体が漏れてきた時、流体が先ず膨潤ゴムに接しこれを膨潤させ、初期のシ−ル性を保持する。そして、更に漏れが進むと、膨潤ゴムは更に膨潤し、締め金具の穴から膨出する。この締め金具の穴から膨潤ゴムが膨出してきた時、目視で検知することが可能となり、ホ−スの寿命を検知することができることとなったものである。
【００１１】
即ち、ホ−スに寿命がくると、内筒部とホ−スの内面ゴム間を流体が伝わりゴムを膨潤させ、更に、この膨潤が進むと穴から膨れて製品寿命が確実に検知できることとなったものである。
【００１２】
膨潤材料は、膨潤ゴム又は膨潤樹脂が好んで用いられ、流体が油の場合は例えばＥＰＤＭ、ＩＩＲ、ＩＲ、ＮＲ、ＳＢＲ等のゴムに、油のゲル化剤（例えば、１，２−ヒドロキシステアリン酸）、親油性の高い若しくは吸油性樹脂（例えば、ポリノルボルネン、アルキルスチレン、アルキルメタクリレ−ト、ヒドロキシアルキルアクリレ−ト等の共重合架橋物）を１０〜８０％程度練り込んだゴムが考えられる。ＥＰＤＭの一般鉱物油での膨潤（体積変化率）は５０〜２００％程度であり、その膨潤の程度は配合調整等により任意に選択可能である。又、流体が水の場合は、エチレンオキサイド主体の親水性ポリマ−等を用いるとよい。これは、建築資材や土木資材の目地シ−ル等にも用いられており、一般的な材料でよい。尚、使用可能な親水性ポリマ−としては、デンプン−アクリル酸エステルグラフトプラスチック、カルボキシメチルセルロ−ズ架橋体、ポリビニルアルコ−ル架橋体、イソブチレン−無水マレインサンコポリマ−等がある。膨潤材料の色調は、特に限定はしないが黒色が基準である。又、膨潤率は特に限定するものではないが、１００倍以上であることが望ましい。
【００１３】
穿孔する穴は最低１か所ではあるが、好ましくは複数個設けるものであって、金具の周方向に穴を形成するのがよい。こうすることによってあらゆる角度から検知が確認できるからである。
【実施例】
【００１４】
以下、実施例をもって本発明を更に詳細に説明する。
図２は本発明の実施例を示す一部断面図である。即ち、芯金具１における内筒２の外側にホ−ス１０が差し込まれ、これを更に外側より締め金具３にて加締める。この際、ホ−ス１０を差し込む前にＥＰＤＭよりなるリング４を内筒２の根元部に挿入し、その後ホ−ス１０を差し込む。ＥＰＤＭは締め金具３の内側に存在することになる。
【００１５】
そして、ＥＰＤＭ４に向かって締め金具３に三つの穴５を穿孔をした。穴５の大きさは３φであった。ここで用いたＥＰＤＭ４は膨潤率が２倍のものを用いた。
【００１６】
内部の流体（油）が内筒２とホ−ス１０の内面ゴム１０ａ間に侵入した場合、挿入してあるＥＰＤＭリング４に油が接触してこれが膨潤し、第一段階のシ−ルが行われる。次いで、更に油が侵入してくるとリング４が更に膨潤し、穴５内より膨出してくる。そして、この膨出したＥＰＤＭを目視にて検知することになる。
【産業上の利用可能性】
【００１７】
本発明は以上の構成を有するものであって、寿命予知ホ−ス金具として広く使用が可能であり、ゴムホ−ス、樹脂ホ−ス、パイプ状の硬質のホ−ス等その利用範囲は広い。
【図面の簡単な説明】
【００１８】
【図１】図１は従来のホ−ス金具の一部断面図である。
【図２】図２は本発明のホ−ス金具の一部断面図である。
【符号の説明】
【００１９】
１‥芯金具、
２‥内筒、
３‥締め金具、
４‥ＥＰＤＭリング、
５‥穴、
１０‥ホ−ス、
１０ａ‥内面ゴム、
１１‥補強層。
【図１】
2006097730.tif 000003
【図２】
2006097730.tif 000004